(57)【要約】【課題】全体が紙製であって、かつ、取っ手部を箱本体部に対して回動可能とした紙箱を提供すること。【解決手段】いずれもシート状体からなる箱本体部１と取っ手部２とを備えており、上記箱本体部１と取っ手部２のうち、一方には取付穴３が設けられ、他方には前記取付穴３に挿入できる取付穴挿入部４が設けられており、上記取付穴３一つにつき、複数の上記取付穴挿入部４が挿入されるものであり、上記取付穴挿入部４は、厚紙が切り起こされて形成されたものであって、上記取付穴挿入部４が上記取付穴３に挿入された際、上記取付穴挿入部４の一部が上記取付穴３に引っ掛かることにより、箱本体部１に対して取っ手部２が外れず回動できるようにされたことを特徴とする紙箱を提供する。【選択図】図１
0003156678.tif 000002
【実用新案登録請求の範囲】
【請求項１】
いずれもシート状体からなる箱本体部（１）と取っ手部（２）とを備えており、
上記箱本体部（１）と取っ手部（２）のうち、一方には取付穴（３）が設けられ、他方には前記取付穴（３）に挿入できる取付穴挿入部（４）が設けられており、
上記取付穴（３）一つにつき、複数の上記取付穴挿入部（４）が挿入されるものであり、
上記取付穴挿入部（４）は、厚紙が切り起こされて形成されたものであって、
上記取付穴挿入部（４）が上記取付穴（３）に挿入された際、上記取付穴挿入部（４）の一部が上記取付穴（３）に引っ掛かることにより、箱本体部（１）に対して取っ手部（２）が外れず回動できるようにされたことを特徴とする紙箱。
【請求項２】
上記箱本体部（１）は、少なくとも側面部（１１）と底面部（１２）とを有しており、この側面部（１１）と底面部（１２）とに囲まれた空間に物品が収納可能とされており、
上記側面部（１１）のうち少なくとも外面部分における、上記空間を挟んで対向した二箇所に上記取付穴（３）が設けられており、
この取付穴（３）は、縁部の少なくとも一部が一定曲率とされており、
上記取っ手部（２）は、形状が帯状であって、その両端部（２２）に上記取付穴挿入部（４〜４）が形成されており、
上記取付穴挿入部（４）は、厚紙が湾曲して切られた切目線（４ａ）と、この切目線（４ａ）の両端部を結ぶ線分とにより囲まれた領域であって、
この取付穴挿入部（４）が、上記取付穴（３）の外部から内部へ貫通させることのできる穴貫通部（４１）と、
この穴貫通部（４１）よりも取付穴挿入部（４）の先端側に位置する部分であり、上記取付穴（３）よりも上記側面部（１１）と底面部（１２）とに囲まれた空間側に位置させることのできる引掛け部（４２）とを備えており、
上記引掛け部（４２）が上記取付穴（３）の内部に位置した状態で、この引掛け部（４２）の少なくとも一部が上記取付穴（３）に引っ掛かるものとされており、
この取付穴挿入部（４）が、上記取っ手部の両端部（２２）のうち一方端部当たり、二つで一組が形成されており、前記二つの取付穴挿入部（４，４）は、上記切目線（４ａ）の形成されない部分である中央残存部（２３）を挟んで両側に、前記中央残存部（２３）から近い順に上記穴貫通部（４１）、引掛け部（４２）が形成されており、
上記一組の取付穴挿入部（４，４）が、それぞれ、上記切目線（４ａ）の両端部を結ぶように折られることで、取っ手部（２）の厚み方向へと立ち上げられ、
立ち上げられた各取付穴挿入部（４，４）が、上記取付穴（３）の外部から内部へ挿入されたことにより、上記取っ手部（２）が上記箱本体部（１）に対して回動可能に取り付けられたことを特徴とする、請求項１に記載の紙箱。
【請求項３】
上記取付穴（３）が円形の穴とされており、
上記一組を構成する、二つの取付穴挿入部（４，４）の各穴貫通部（４１，４１）が、上記取っ手部（２）の幅方向における中心線（Ｃ）を基準として対称の位置に形成されたことを特徴とする、請求項２に記載の紙箱。
【請求項４】
上記一組を構成する、二つの取付穴挿入部（４，４）の各引掛け部（４２，４２）につき、各取付穴挿入部（４，４）の幅方向において、
一方の取付穴挿入部の引掛け部（４２）の上記幅（Ｗ１）が、上記取付穴（３）の直径よりも大きく、
他方の取付穴挿入部の引掛け部（４２）の上記幅（Ｗ２）が、上記取付穴（３）の直径よりも小さく形成されたことを特徴とする、請求項３に記載の紙箱。
【請求項５】
上記一組を構成する、二つの取付穴挿入部（４，４）のうち一方につき、上記切目線（４ａ）の両端部を結ぶように折目線（４ｂ）が形成されており、
上記折目線（４ｂ）は、上記取付穴挿入部の切目線（４ａ）の両端部を結ぶ仮想の直線よりも、上記引掛け部（４２）の反対側へと突出するように形成された湾曲線であることを特徴とする、請求項３に記載の紙箱。
【請求項６】
上記一組を構成する、二つの取付穴挿入部（４，４）のうち一方につき、上記切目線（４ａ）の両端部を結ぶように折目線（４ｂ）が形成されており、
上記折目線（４ｂ）が折られ、その後、上記各取付穴挿入部（４，４）が取付穴（３）に挿入された状態で、
上記折目線（４ｂ）の少なくとも一部が、厚紙の厚み方向に突出していることを特徴とする、請求項３に記載の紙箱。
【考案の詳細な説明】
【技術分野】
【０００１】
本願考案は、取っ手部を備えた紙箱に関するものである。
【背景技術】
【０００２】
従来から、商品を包装するための紙箱は広く用いられており、運びやすくするように箱本体部に取っ手部を取り付けたものも多い。
【０００３】
最近では、いわゆる「駅ナカ」と呼ばれる、鉄道駅の構内におみやげ屋などを集めた業態の商業施設が多くなってきている。このような「駅ナカ」店舗にて主に販売する商品に適した紙箱として、取っ手部に要求される耐久性が、売り場からレジまで持ち運びができる程度のもので良く、しかも、箱本体部に対して取っ手部をずらせることで、箱本体部を積み上げて陳列できるような紙箱が求められていた。
【０００４】
ここで、取っ手部の耐久性がさほど必要でない理由として、この紙箱はレジにて包装袋に入れられることから、長時間の持ち運びを想定する必要がないことが挙げられる。
【０００５】
また、使用後のリサイクルを考えると、分別作業を不要とするために、箱全体を紙製としておくことが望ましい。
【先行技術文献】
【特許文献】
【０００６】
【特許文献１】特開２００６−１２４０１４号公報
【特許文献２】特開２００４−５１１５５号公報
【考案の概要】
【考案が解決しようとする課題】
【０００７】
ここで、従来の容器の一例として、特許文献１に示すものがある。これは、紙箱全体を紙で作製したものであるが、取っ手部である提げ手が、容器の側面部に折り込まれたものである。そのため、提げ手は容器の側面部に対して回動できないものとなっている。
【０００８】
一方、特許文献２に示すものは、提げ手を回動可能にするために留め具が設けられているが、この留め具としては、金属やプラスチックなどの異種材料が用いられていたため、箱全体が紙製になっていない。
【０００９】
本願考案は上記のことに鑑み、全体が紙製であって、かつ、取っ手部を箱本体部に対して回動可能とした紙箱を提供することを課題とする。
【課題を解決するための手段】
【００１０】
上記課題を解決するために、本願の請求項１に記載の考案は、いずれもシート状体からなる箱本体部１と取っ手部２とを備えており、上記箱本体部１と取っ手部２のうち、一方には取付穴３が設けられ、他方には前記取付穴３に挿入できる取付穴挿入部４が設けられており、上記取付穴３一つにつき、複数の上記取付穴挿入部４が挿入されるものであり、上記取付穴挿入部４は、厚紙が切り起こされて形成されたものであって、上記取付穴挿入部４が上記取付穴３に挿入された際、上記取付穴挿入部４の一部が上記取付穴３に引っ掛かることにより、箱本体部１に対して取っ手部２が外れず回動できるようにされたことを特徴とする紙箱を提供する。
【００１１】
また、本願の請求項２に記載の考案は、上記箱本体部１は、少なくとも側面部１１と底面部１２とを有しており、この側面部１１と底面部１２とに囲まれた空間に物品が収納可能とされており、上記側面部１１のうち少なくとも外面部分における、上記空間を挟んで対向した二箇所に上記取付穴３が設けられており、この取付穴３は、縁部の少なくとも一部が一定曲率とされており、上記取っ手部２は、形状が帯状であって、その両端部２２に上記取付穴挿入部４〜４が形成されており、上記取付穴挿入部４は、厚紙が湾曲して切られた切目線４ａと、この切目線４ａの両端部を結ぶ線分とにより囲まれた領域であって、この取付穴挿入部４が、上記取付穴３の外部から内部へ貫通させることのできる穴貫通部４１と、この穴貫通部４１よりも取付穴挿入部４の先端側に位置する部分であり、上記取付穴３よりも上記側面部１１と底面部１２とに囲まれた空間側に位置させることのできる引掛け部４２とを備えており、上記引掛け部４２が上記取付穴３の内部に位置した状態で、この引掛け部４２の少なくとも一部が上記取付穴３に引っ掛かるものとされており、この取付穴挿入部４が、上記取っ手部の両端部２２のうち一方端部当たり、二つで一組が形成されており、前記二つの取付穴挿入部４，４は、上記切目線４ａの形成されない部分である中央残存部２３を挟んで両側に、前記中央残存部２３から近い順に上記穴貫通部４１、引掛け部４２が形成されており、上記一組の取付穴挿入部４，４が、それぞれ、上記切目線４ａの両端部を結ぶように折られることで、取っ手部２の厚み方向へと立ち上げられ、立ち上げられた各取付穴挿入部４，４が、上記取付穴３の外部から内部へ挿入されたことにより、上記取っ手部２が上記箱本体部１に対して回動可能に取り付けられたことを特徴とする、請求項１に記載の紙箱を提供する。
【００１２】
また、本願の請求項３に記載の考案は、上記取付穴３が円形の穴とされており、上記一組を構成する、二つの取付穴挿入部４，４の各穴貫通部４１，４１が、上記取っ手部２の幅方向における中心線Ｃを基準として対称の位置に形成されたことを特徴とする、請求項２に記載の紙箱を提供する。
【００１３】
また、本願の請求項４に記載の考案は、上記一組を構成する、二つの取付穴挿入部４，４の各引掛け部４２，４２につき、各取付穴挿入部４，４の幅方向において、一方の取付穴挿入部の引掛け部４２の上記幅Ｗ１が、上記取付穴３の直径よりも大きく、他方の取付穴挿入部の引掛け部４２の上記幅Ｗ２が、上記取付穴３の直径よりも小さく形成されたことを特徴とする、請求項３に記載の紙箱を提供する。
【００１４】
また、本願の請求項５に記載の考案は、上記一組を構成する、二つの取付穴挿入部４，４のうち一方につき、上記切目線４ａの両端部を結ぶように折目線４ｂが形成されており、上記折目線４ｂは、上記取付穴挿入部の切目線４ａの両端部を結ぶ仮想の直線よりも、上記引掛け部４２の反対側へと突出するように形成された湾曲線であることを特徴とする、請求項３に記載の紙箱を提供する。
【００１５】
また、本願の請求項６に記載の考案は、上記一組を構成する、二つの取付穴挿入部４，４のうち一方につき、上記切目線４ａの両端部を結ぶように折目線４ｂが形成されており、上記折目線４ｂが折られ、その後、上記各取付穴挿入部４，４が取付穴３に挿入された状態で、上記折目線４ｂの少なくとも一部が、厚紙の厚み方向に突出していることを特徴とする、請求項３に記載の紙箱を提供する。
【考案の効果】
【００１６】
本願考案は、全体が紙製であって、かつ、取っ手部を箱本体部に対して回動可能とした紙箱を提供することができたものである。
【図面の簡単な説明】
【００１７】
【図１】本願考案の一実施例における紙箱を示す斜視図である。
【図２】同紙箱の構成部品展開図である。
【図３】同紙箱の取っ手部端部の拡大図である。
【図４】同紙箱の取っ手部端部が取付穴に挿入された状態を示す要部側面視の説明図である。
【図５】同紙箱の取っ手部端部が取付穴に挿入された状態を示す、横断面視の説明図である。
【図６】本願考案の他の実施例における紙箱の構成部品展開図である。
【図７】本願考案の更に他の実施例における紙箱の構成部品展開図である。
【図８】本願考案の更に他の実施例における紙箱の構成部品展開図である。
【考案を実施するための形態】
【００１８】
以下、本願考案の一実施例をとりあげて、図面とともに説明する。なお一部の図面においては、説明の便宜のために線の記載を省略した箇所がある。
【００１９】
本実施例の紙箱は、いずれもシート状体からなる箱本体部１と取っ手部２とを備えたものである。図１に示したものは箱本体部１が略立方体とされている。本実施例の紙箱の構成部材の展開状態を示したものが図２であるが、折り代の設け方やシート状体の組み立て方は図示したものに限られず、種々に変更して実施できる。
【００２０】
紙箱の形状の他の例として、図６（展開図）に示したものは上広がり角錐台形状のものであり、図７（同）に示したものは六角柱形状のものである。これらのものは、蓋部１３が側面部１１と一体とされている。一方、図８（同）に示したものは円柱状のものである。これは、側面部１１が内外二重に形成されており、下記で説明する取付穴３が箱本体部１の内面に露出しないものとされている。
【００２１】
用いられるシート状体としては、紙の繊維を含有したシート状体であれば種々のものを用いることができる。本実施例では厚紙が用いられているが、ダンボールなど、種々のものを用いることができる。このシート状体において、組み立て後に紙箱の表面となる面には、商標などの各種の印刷がなされている。また、必要により前記紙箱の表面となる面に光沢を出すため等のコーティングがなされたり、型押し等によって凹凸が形成されたり、飾り穴が形成されていても良い。
【００２２】
＜箱本体部＞
箱本体部１は、少なくとも側面部１１と底面部１２とを有している。本実施例の箱本体部１は、図２に示すように、側面部１１と底面部１２とが一体に形成されている。そして、側面部１１と底面部１２に対して別体とされた蓋部１３が、側面部１１の上方を覆うことができるようにされている。この側面部１１と底面部１２とに囲まれた空間（物品収納空間）に物品が収納可能とされている。
【００２３】
なお本実施例では、蓋部１３を閉じた状態では、上記空間に収納された物品が外部から見えないものとされているが、例えば、側面部１１や蓋部１３に透明の窓部を設けておき、物品が外部から見えるようにしていても良い。また、蓋部１３を閉じた状態でも箱本体部１の一部が開放されていたり、蓋部１３を設けず、箱本体部１の上方が開放されたままのものであっても良い。
【００２４】
＜取付穴＞
側面部１１には、取っ手部２を取り付けるための取付穴３が設けられている。本実施例の箱本体部１では、図２に示すように、側面部１１の物品収納空間を挟んで対向した関係にある面に、二箇所に円形の取付穴３が設けられている。
【００２５】
図８に示す、箱本体部１が円柱状の紙箱においては、上記のように、側面部１１が内外二重に形成されているため、取付穴３は側面部１１を構成する外面部分に設けられている。つまり、本願考案における取付穴３は、側面部１１のうち少なくとも外面部分における、上記物品収納空間を挟んで対向した二箇所に設けられる。
【００２６】
上記の関係は、図６及び図７に示す紙箱についても同じである。ただし、図６に示すものは上広がり角錐台形状の箱であるため、対向する取付穴３同士が平行の関係にはならない。つまり、上記の「対向した関係」とは平行な位置関係に限られるものではなく、物品収納空間を挟んで向き合う関係も含むものである。
【００２７】
上記のように、本実施例の取付穴３は円形の穴とされているが、取付穴挿入部４が挿入された状態で取っ手部２が回動可能な形状であれば、他の形状の穴でも良い。具体的には、取っ手部２が回動可能なように、取付穴３の縁部の少なくとも一部が一定曲率とされていることが望ましい。より具体的に言うと、上記縁部のうち、取っ手部２を箱本体部１に対して回動する際に、取付穴挿入部４の穴貫通部４１（後述）が当接する可能性のある範囲については、一定曲率で形成することが望ましい。
【００２８】
＜取っ手部＞
本実施例の取っ手部２は、形状が帯状であって、その両端部２２に取付穴挿入部４〜４が形成されている。ここで、上記「帯状」とは、幅寸法が一定の形状に限られるものではなく、波打ったりテーパ状とするなどして幅寸法が変化するものとしたり、キャラクターをかたどった輪郭を有するものとしても良い。また、縁部を厚み方向に立ち上げたものとしても良い。また、本実施例では両端部２２の幅寸法がその他の部分２１よりも拡大して形成されているが、これに限らず、長手方向の全体で同一の幅寸法で形成されていても良い。
【００２９】
また、取っ手部２の長手方向の寸法は、取っ手部２が箱本体部１に取り付けられた状態において、紙箱を持ち上げる際に取っ手部２を違和感なく持つことができる寸法であって、かつ、取っ手部２を箱本体部１に対して側方まで回動させることで、箱本体部１の上面が、箱本体部１同士の積み上げが支障なくできる程度に空けられる程度の寸法とされている。
【００３０】
＜取付穴挿入部＞
取付穴挿入部４は、本実施例では、図４に示すように、取っ手部２の厚紙が厚み方向に切り起こされて形成されたものである。上記の取付穴３一つにつき、複数（本実施例では二つ）の上記取付穴挿入部４が挿入される。
【００３１】
ここで、本実施例では、上記のように箱本体部１に取付穴３が設けられ、取っ手部２に取付穴挿入部４が設けられている。しかし、本願考案はこの組み合わせに限定されるものではなく、本実施例とは逆に、箱本体部１に取付穴挿入部４が設けられ、取っ手部２に取付穴３が設けられていても良い。つまり、箱本体部１と取っ手部２のうち、一方には取付穴３が設けられ、他方には上記取付穴３に挿入できる取付穴挿入部４が設けられていれば良い。
【００３２】
この取付穴挿入部４が、切り起こされた状態で取付穴３に挿入された際、図４に示すように、取付穴挿入部４の一部、具体的には取付穴３の内部に位置している引掛け部４２が取付穴３に引っ掛かることにより、箱本体部１に対して取っ手部２が外れず回動できるようにされる。
【００３３】
この取付穴挿入部４は、図３に示すように、取っ手部２の厚紙が湾曲して切られた切目線４ａと、この切目線４ａの両端部を結ぶ線分とにより囲まれた平面視キノコ状の領域である。なお、上記切目線４ａの両端部を結ぶ線分とは仮想の線を指すものであって、直線のみを意味するものではない。具体的に、上記線分とは、上記取付穴挿入部４の切り起こしの際に成り行き的に決まる線であるとも言える。
【００３４】
この取付穴挿入部４は、穴貫通部４１と引掛け部４２とを備えている。穴貫通部４１は、「キノコ」の軸部に相当し、取付穴挿入部４が取付穴３に挿入された際、図４に示すように、取付穴３の外部から内部へ貫通させることのできる部分である。この穴貫通部４１は、取っ手部２を回動させた際や取っ手部２を持ち上げた際に取付穴３の縁部に当接する。
【００３５】
引掛け部４２は、「キノコ」の傘部に相当し、前記穴貫通部４１よりも取付穴挿入部４の先端側に位置する部分である。この引掛け部４２は、取付穴挿入部４が取付穴３に挿入された際、図４に示すように、取付穴３よりも物品収納空間側に位置する。
【００３６】
なお、上記の「物品収納空間側」とは、図８に示すように、箱本体部１の側面部１１が内外二重に形成されている場合があるため、引掛け部４２が必ずしも物品収納空間に露出するとは限らない。図８に示したような場合においては、側面部１１のうちで外面部分と当該外面部分よりも内面側に位置する部分との間に引掛け部４２が位置することになる。
【００３７】
取付穴挿入部４は、図３に示すように、取っ手部の両端部２２のうち一方端部当たり、二つで一組が形成されている。この二つの取付穴挿入部４，４は、上記切目線４ａの形成されない部分である中央残存部２３を挟んで両側に、中央残存部２３から近い順に穴貫通部４１、引掛け部４２が形成されている。
【００３８】
上記一組の取付穴挿入部４，４が、それぞれ、切目線４ａの両端部を結ぶように折られることで、図４に示すように、取っ手部２の厚紙の厚み方向へと立ち上げられる。そして、この立ち上げられた各取付穴挿入部４，４が、取付穴３の外部から内部へ挿入されたことにより、図１に矢印で示したように、取っ手部２が箱本体部１に対して回動可能に取り付けられる。
【００３９】
本実施例では、図３に示すように、二つの取付穴挿入部４，４の各穴貫通部４１，４１が、上記取っ手部２の幅方向における中心線Ｃを基準として対称の位置に形成されている。このように各穴貫通部４１，４１が対称の位置に形成されたことにより、取付穴挿入部４が取付穴３に挿入された際に、上記中央残存部２３の中心を取付穴３の中心にほぼ一致させることができ、それによって取っ手部２を円滑に回動させることができる。
【００４０】
ただし、本願考案は上記形状に限定されるものではなく、各穴貫通部４１，４１の対称中心の線が上記中心線Ｃと一致しないものであっても良い。また、実用的ではないものの、各穴貫通部４１，４１が非対称の関係にあっても構わない。
【００４１】
上記二つの取付穴挿入部４，４の各引掛け部４２，４２について、本実施例では、上記中心線Ｃに対して非対称の形状とされている。つまり、各取付穴挿入部４，４の幅方向において、一方（図３上の左側）の取付穴挿入部４Ｌの取付穴挿入部の引掛け部４２の上記幅Ｗ１が、取付穴３の直径よりも大きく、他方（図３上の右側）の取付穴挿入部４Ｓの取付穴挿入部の引掛け部４２の上記幅Ｗ２が、取付穴３の直径よりも小さく形成されている。
【００４２】
このように引掛け部４２のうち一方の取付穴挿入部４Ｌにおけるものを大きく、他方の取付穴挿入部４Ｓにおけるものを小さく形成したのは、取付穴３への引掛け部４２の挿入のしやすさと取付穴３からの抜けにくさを両立させるためである。つまり、二つの取付穴挿入部４Ｌ，４Ｓは同時に取付穴３へ挿入されるわけではなく、一つを先に挿入し、もう一つを後に挿入するものであるから、一方の取付穴挿入部４Ｌの引掛け部４２の幅Ｗ１を取付穴３の直径よりも大きくしていても挿入が可能であり、しかも取付穴３から抜けにくくできる。ところが、後に挿入される側の取付穴挿入部４Ｓは、既に他の取付穴挿入部４Ｌが取付穴３に挿入された状態にあるため、他方の引掛け部４２の幅Ｗ２を取付穴３の直径よりも小さくしておかないと挿入しにくい。そのため本実施例では、各引掛け部４２，４２について、上記のように非対称の形状としている。
【００４３】
一方、上記のように、他方の引掛け部４２の幅Ｗ２を取付穴３の直径よりも小さくしたため、そのままでは、この小さい引掛け部４２は取付穴３から抜けやすく、実用上問題がある。
【００４４】
そこで本実施例では、上記二つの取付穴挿入部４Ｌ，４Ｓのうち小さい引掛け部４２を形成した取付穴挿入部４Ｓにつき、図３上に破線で示したように、切目線４ａの両端部を結ぶように折目線４ｂが形成されている。この折目線４ｂは本実施例では、折りやすいように厚紙にくせ付けがされた線とされているが、折りやすくされたものであれば、例えばミシン目など、種々の形態で形成しても良い。
【００４５】
本実施例の折目線４ｂは、上記切目線４ａの両端部を結ぶ仮想の直線よりも、引掛け部４２の反対側へと突出するように形成された湾曲線である。よって、この折目線４ｂに沿って取付穴挿入部４Ｓを折り曲げると、取付穴挿入部４Ｓの基端が平面視で湾曲した形状となる。そうすると、折目線を直線形状とするものに比べて、取付穴挿入部４Ｓを、取っ手部の両端部２２に対して寝ようとする方向に反り返らせることができる。そのため、この取付穴挿入部４Ｓを取付穴３に挿入した場合、図５に矢印で示した方向に引掛け部４２が反り返り、これにより引掛け部４２が箱本体部１の側面部を内側から押圧するようにできるため、取付穴挿入部４Ｓを取付穴３から抜けにくくできる。
【００４６】
なお、上記のように折目線４ｂが形成された場合、この折目線４ｂが折られ、その後、各取付穴挿入部４Ｌ，４Ｓが取付穴３に挿入された状態で、折目線４ｂの少なくとも一部、本実施例では湾曲線の中央部分４ｂ１が、折られることによって峰となり、図５に示すように、厚紙の厚み方向に突出することになる。
【００４７】
本実施例では上記の折目線４ｂを、小さい引掛け部４２を形成した取付穴挿入部４Ｓにのみ設けたが、二つの取付穴挿入部４，４の両方に設けたものとしても良い。
【００４８】
上記に説明した構成により、本願考案の紙箱は、全体が紙製であって、かつ、取っ手部２を箱本体部１に対して回動可能とできるため、箱本体部１を積み上げて陳列でき、取っ手部２を持って商品の購入者が売り場からレジまで持ち運ぶことができる。よって、最近多くなってきた「駅ナカ」店舗にて主に販売する商品に用いる紙箱として適したものを提供できたものである。
【符号の説明】
【００４９】
１      箱本体部
１１    側面部
１２    底面部
２      取っ手部
２２    取っ手部の両端部
２３    中央残存部
３      取付穴
４      取付穴挿入部
４ａ    切目線
４ｂ    折目線
４１    穴貫通部
４２    引掛け部
Ｗ１    一方の取付穴挿入部の引掛け部の幅
Ｗ２    他方の取付穴挿入部の引掛け部の幅
【図１】
0003156678.tif 000003
【図３】
0003156678.tif 000004
【図４】
0003156678.tif 000005
【図５】
0003156678.tif 000006
【図２】
0003156678.tif 000007
【図６】
0003156678.tif 000008
【図７】
0003156678.tif 000009
【図８】
0003156678.tif 000010